(57)【要約】特にギター用スピーカーとして使用するためのスピーカーは、コーンピストン１６の外縁部にある波形の横方向延長部１８と、該横方向延長部に対し重複する関係でそこに接合される波形の囲い枠２６とを備え、重複域Ｄは前記コーンピストンの前記外縁部の横方向外方にあるピークの横方向外方にあり、コーン１６は紙製であり、囲い枠２６は布製であることが好ましい。
2005536135.tif 000002
【特許請求の範囲】
【請求項１】
コーンピストンの外縁部に横方向延長部を有するコーンと、前記横方向延長部に対し重複する関係で、重複域が前記コーンピストンの前記外縁部の横方向外方にある状態において、前記横方向延長部に接合される囲い枠とを備え、前記コーンの前記横方向延長部は波形部を備えており、それと重複する対応の波形部を前記囲い枠が有している、スピーカー。
【請求項２】
前記重複域は、少なくとも、それぞれの波形のピークから谷までの距離にわたり延在している、請求項１に記載のスピーカー。
【請求項３】
前記波形部は、ほぼ正弦波形であり、前記重複域は、波形の少なくとも約１８０°を表わす長さにわたり延在している、請求項２に記載のスピーカー。
【請求項４】
前記コーンの前記横方向延長部は、前記コーンピストンの前記外縁部で第１ピークから下がって谷を形成してから、立ち上がって更なるピークを形成し、該ピークで終端しており、前記囲い枠は、前記第２ピークから前記谷まで前記延長部と重なり合っている、請求項２又は３に記載のスピーカー。
【請求項５】
コーンピストンの外縁部に横方向延長部を有するコーンと、前記横方向延長部に接合される囲い枠とを備え、前記横方向延長部及び前記囲い枠はそれぞれ波形部を有しており、前記横方向延長部の前記波形部は、前記コーンピストンの前記外縁部にあるピークから外方へ延在すると共に、前記囲い枠の前記波形部に前記ピークの外方で接合されている、スピーカー。
【請求項６】
前記延長部及び前記囲い枠の前記波形部は、前記ピークの外方にある重複域にわたり接合されている、請求項５に記載のスピーカー。
【請求項７】
前記ピークから外方へ延在する前記延長部の自由部分は、前記囲い枠に対して非接合である、請求項５又は６に記載のスピーカー。
【請求項８】
前記自由部分は、前記ピークから外方へ、前記延長部が前記ピークから下がって達する少なくとも谷まで延在している、請求項７に記載のスピーカー。
【請求項９】
前記コーンの前記横方向延長部における前記波形の深さは、前記囲い枠にある前記波形の深さよりも大きい、請求項１〜８のいずれか１項に記載のスピーカー。
【請求項１０】
前記コーンは紙製であり、前記囲い枠は布製である、請求項１〜９のいずれか１項に記載のスピーカー。
【請求項１１】
請求項１〜１０のいずれか１項に記載のギター用のスピーカー。
【請求項１２】
図面の図２〜図４に関連して実質的に記載されているスピーカー。
【発明の詳細な説明】
【技術分野】
【０００１】
本発明は、総括的にはスピーカーに関し、特に、ギター用スピーカーに関連している。更に、本発明は、スピーカーコーンを囲い枠に接合する方法に特に関連しており、該囲い枠は、コーンピストンの外縁部とスピーカーフレームとの間に気密な結合部を形成するものである。
【背景技術】
【０００２】
囲い枠は、スピーカーの重要な部品である。それは、コーンピストンの外縁部でスピーカーフレームに対して気密な結合部を提供するだけでなく、後部懸架部（スパイダー）と一緒に、コーンの機械コンプライアンスを限定している。囲い枠はまた、コーンのエクスカーションを回復するのにも役立っている。ギター用スピーカーは、半自動装填式のコーン、即ち、コーンを入れるのに音響エンクロージャに頼らないコーンを有している必要がある。コーンエクスカーションの制動は、囲い枠及び後部懸架部で分担されている。後部懸架部はまた、スピーカーの音響終端部も提供している。囲い枠の機械損失及び形状寸法は、コーンを伝播する波の制動に影響を与えるものである。また、これは、特性と、特に中域周波数及び高周波数で発生される音とに強く影響を及ぼすものである。
【０００３】
大部分のものが紙製コーン及び紙製囲い枠を有するギター用スピーカーにおいて、それは音響的に“不満足”な終端部を有している。これは、スピーカーコーンにおける種々のブレークアップモード(break-up modes)の発生につながる。これらは、音楽ギターの“音質”にとって肝要であるが、コーンの機械的エクスカーションを大きく制限し、従って、スピーカーの出力定格及び周波数レスポンスを制限することになる。
【０００４】
紙製コーン及び布製囲い枠を有するスピーカー設計もまた既知である。これらの設計において、コーン及び囲い枠間の結合部は、コーンピストンの実際の外縁部にあり、従って、不連続部を持ち込んでいる。また、かかる設計では、囲い枠において相当な量の制動があり、囲い枠は、非直線性を抑えきると共に、ライブなレスポンスの実現を難しくしている。この設計では、ギター用スピーカーの挙動を実現することが困難である。
【０００５】
コーンピストンの平らな環状延長部が同ピストンの外側にある支持囲い枠と重なり合って結合されているスピーカーは、米国特許第３９９７０２３号明細書、英国特許第２１１４３９７号明細書及び米国特許第６０９５２８０号明細書に示されている。
【０００６】
米国特許第２４９０４６６号明細書は、支持リングがコーンピストンの外方延長部の直下にあって、そこから離間しているスピーカーについて記載している。この延長部及び支持リングは、互いに離間した段繰り部もしくは波形部を有しており、延長部及びリングは、それぞれの平らな重複環状部分により接合されている。
【０００７】
英国特許第１５７４８５５号明細書は、ピストンコーン及び環状支持囲い枠のそれぞれの圧延縁が互いに重なり合って接合されたスピーカーを示している。
【発明の開示】
【０００８】
本発明の目的は、コーンのより長い動程、即ち、長い機械エクスカーションの実現を可能としながらギター用スピーカー音響信号を保持しておくことを可能にするコーン／囲い枠の結合体を提供することにある。
【０００９】
より長い動程の実現は、より高い入力でのコーンの損傷を回避し、それはより高い低音能力を達成することを可能にしている。
【００１０】
広い意味で、本発明によれば、これは、コーンピストンの外縁部に横方向延長部を有するコーンと、前記横方向延長部に対し重複する関係で、重複域が前記コーンピストンの前記外縁部の横方向外方にある状態において、前記横方向延長部に接合される囲い枠とを備え、前記コーンの前記横方向延長部は波形部を備えており、それと重複する対応の波形部を前記囲い枠が有している、スピーカーにより実現されることになる。
【００１１】
前記重複域は、少なくとも、それぞれの波形のピークから谷までの距離にわたり延在していることが好ましい。
【００１２】
有利なのは、前記波形部がほぼ正弦波形であり、前記重複域が波形の少なくとも約１８０°を表わす長さにわたり延在していることである。
【００１３】
好適な実施形態において、前記コーンの前記横方向延長部は、前記コーンピストンの前記外縁部で第１ピークから下がって谷を形成してから、立ち上がって更なるピークを形成し、該ピークで終端しており、前記囲い枠は、前記第２ピークから前記谷まで前記延長部と重なり合っている。
【００１４】
本発明はまた、コーンピストンの外縁部に横方向延長部を有するコーンと、前記横方向延長部に接合される囲い枠とを備え、前記横方向延長部及び前記囲い枠はそれぞれ波形部を有しており、前記横方向延長部の前記波形部は、前記コーンピストンの前記外縁部にあるピークから外方へ延在すると共に、前記囲い枠の前記波形部に前記ピークの外方で接合されている、スピーカーを提供するものである。
【００１５】
好ましくは、前記延長部及び前記囲い枠の前記波形部は、前記ピークの外方にある重複域にわたり接合されている。
【００１６】
有利なのは、前記ピークから外方へ延在する前記延長部の自由部分が前記囲い枠に対して非接合であり、該自由部分が、前記ピークから外方へ、前記延長部が前記ピークから下がって達する少なくとも谷まで延在していることである。
【００１７】
本発明によるスピーカーにおいて、前記コーンの前記横方向延長部における前記波形の深さは、前記囲い枠にある前記波形の深さよりも大きいことが好ましい。
【００１８】
好都合なのは、前記コーンが紙製であり、前記囲い枠が布製であることである。
【００１９】
囲い枠及びコーン間の接合を囲い枠の活動的な、即ち、移動する部分に位置決めすることにより、従来の設計の不連続性が避けられると共に、固有コーンモードの生成が促進されることになる。
【００２０】
この構成はまた、主要部をなすコーンの縁部を強化すると共に、コーンのそのエクスカーションからの緩やかな回復をもたらしている。これは、薄い断面のコーンの使用を可能とし、ギター用スピーカーとしてのスピーカーの挙動を維持し続けることを可能にするものである。
【００２１】
本発明がもっと十分に理解されるために、本発明に基づく現在での好適な実施形態について、添付図面を参照して一例として説明することにする。
【発明を実施するための最良の形態】
【００２２】
最初に図１を参照すると、これは場内放送(ＰＡ＝public address)用スピーカーについての従来の紙製コーン及び布製囲い枠のアセンブリを示している。紙製コーン１は、外方にテーパがついており、表面２にあるコーンピストンの外縁部で終端している。布材料の囲い枠３は、平らな外方部分４と、波形部分５と、下方に且つ内方に指向したフラップ６とから構成されており、該フラップは、コーン１の外方端部にその内側面で重なり合っている。従って、コーン１及び囲い枠３の間の重複域はコーンの本体部の範囲内にある。
【００２３】
図２は、ギター用スピーカー全体を総括的に符号７で示しており、これは、ほぼ円錐形のスピーカーフレーム９に接続された、磁石を含む実質的に円筒形の基台部８を備えている。フレーム９は、環状リム１１で終端している。
【００２４】
実質的に円錐形状の紙製コーン１０は、環状懸架部材１３により基台部８に接続されている。このコーン１０は、基台部８から延在しており、環状囲い枠２６により環状リム１１に接続されている。囲い枠２６へのコーン１０の結合部については以下にもっと詳細に論じられている。可撓性の電気コネクタ１５は、コーン１０に動作可能なように接続されたコイルに取り付けられている。
【００２５】
図３において、図２に示したコーン及び囲い枠のアセンブリの部分断面図が示されている。ここで、紙製コーン１０は、滑らかにテーパの付いた内方部分１２と、ひだ付きの又は波形の中間部分１４と、滑らかにテーパの付いた外方部分１６とを有していることが分かる。この部分１６の縁にあるコーンピストンの外縁部は、切り落とされていないで、図４に最も明らかに示すように、横方向の外側に延在しており、コーンの横方向延長部１８を提供している。この横方向延長部１８は、ほぼ正弦波形である波状又は波形の形状を有している。これは、コーンピストンの外縁部にある第１ピーク２０と、第２ピーク２２と、中間の谷２４とを画成している。紙製コーン１０の外方終端は第２ピーク２２のところにある。ピーク２０から谷２４までの波形の高さは、符号Ｔで表わされている。符号２６で総括的に表わされた囲い枠は布製材料のものである。これは、平らな外方部分２８と、ほぼ正弦波形である波状又は波形の部分３０とから構成されている。囲い枠は、外方部分２８から第１ピーク３２へと立ち上がり、第１の谷３４へと下がり、第２ピーク３６まで立ち上がり、次いでコーンの谷２４に一致する第２の谷３８まで下がっている。囲い枠の第２ピーク３６は、コーンの外方端と一致している。囲い枠のピークから谷までの高さは、符号“ｔ”で表わされている。コーンの波高Ｔは、囲い枠の波高“ｔ”のほぼ２倍である。
【００２６】
図面から分かるように、コーンと囲い枠との間には、コーンピストンの外縁部から半径方向の外方である重複域が存在しており、ここで、アセンブリの２つの部材は例えば接着により接合されている。半径方向で見た重複の長さは符号Ｄで表されている。接合された重複は、波形のほぼ１８０°を表わす長さにわたっている。
【００２７】
また、第１ピーク２０から谷２４へと外方に延在する、コーン延長部１８の自由部分（囲い枠２６に接合されていない部分）が存在することも分かるであろう。
【００２８】
重複もしくは重なり合いが、図１のように平らな表面と表面との接触ではなく、波形表面と表面との接触であるという構造のため、より大きな屈曲運動の能力があり、コーン１０は、ギター用スピーカーの音響信号を損失することなく、より長い動程を経ることが可能である。長い動程を可能にすることはまた、より高い低音能力の達成はもちろんのこと、より高い入力でのコーンの損傷を回避するものである。また、囲い枠は、コーン延長部１８によりもたらされると共に第２ピーク２４のところでその外縁部まで外方に延在する比較的に堅い部分と、その外方にあると共に、コーン延長部１８によって支持されていない、ピーク３６から外方へ延在する囲い枠の部分によって提供されるより従順性のある部分とから構成されていることにも留意すべきである。
【００２９】
図５には、本発明の別のスピーカーの部分横断面図が示されている。ここでは、前述したものと実質的に同様の構造を有するスピーカーの一部が、スピーカーコーンの外方部分４０に接合される囲い枠４２を支持する環状リム部４４を有するフレーム４６と共に示されている。しかしながら、この実施形態において、スピーカーコーンの外方部分４０は、図４の実施形態に示されたように囲い枠の下方というよりもむしろ、囲い枠４２の上方に重ね合わさっている。
【００３０】
本発明による構造はまた、低周波能力の更なる具体化（shaping)のために信頼できるバスレフもしくは低音反射アライメント（bass-reflex alignment)を可能にするものである。このアセンブリは、中間又は高い調子のレスポンスを損なうことなく低音の透明感を促進している。重複域Ｄがあるのは、アセンブリの活動的な部分、即ち、移動する部分であるから、従来の設計にあった不連続性が回避されると共に、これにより固有コーンモードが高められる。主要部をなすコーン１０の外縁部はまた、この構造により強化されており、そしてコーンエクスカーションの緩やかな回復が得られることになる。アセンブリは、“二重に従順(bi-compliant)”であると言うことができ、或いは可変コンプライアンスを有すると言うことができる。これは、コーンについて薄い横断面素材の使用を可能とし、ギター用スピーカーの作用を持ち続けることを可能にしている。また、このアセンブリでは囲い枠での制動がより少ないので、非直線性が抑えられることがなく、そのため音響レスポンスはより“ライブ”に近くなる。
【００３１】
ギター用スピーカーの分野において、低周波数で且つ高入力でより良く機能するスピーカーに対する必要性が増大している。本発明のコーン／囲い枠のアセンブリは、この市場に注意を向けている。これは、例えば、離調であるか、７弦ギターであるか、ヘビーメタサウンドであるかどうか等、異なるプレーのスタイルにもまた適している。本発明はまた、低音スピーカー並びにＰＡ及び一般のスピーカーで種々の適用例がある。
【００３２】
本発明は、その精神及び本質的な特性から逸脱することなく、その他の特定の形態で実施することができ、従って、本発明の範囲を表わすものとして、前述した明細書よりもむしろ、特許請求の範囲を参照すべきである。
【図面の簡単な説明】
【００３３】
【図１】場内放送用拡声器である既知のコーン及び囲い枠のアセンブリを示す図である。
【図２】本発明を実施するギター用スピーカーの横断面図である。
【図３】図２のスピーカーのコーン／囲い枠アセンブリの部分断面図である。
【図４】拡大した縮尺で示す図３の詳細図である。
【図５】本発明を実施する別のスピーカーの詳細図である。
【図１】
2005536135.tif 000003
【図２】
2005536135.tif 000004
【図３】
2005536135.tif 000005
【図４】
2005536135.tif 000006
【図５】
2005536135.tif 000007
【国際調査報告】
2005536135.tif 000008
2005536135.tif 000009